(57)【要約】【課題】アドレス取得のための余分な通信を大幅に抑制できるようにする。【解決手段】各通信装置２Ａ，２Ｂは、登録手段２２Ａで、自装置のアクセス情報の登録要求を管理装置１へ送信する。管理装置１は、配信手段１２Ｂで、通信装置２Ａ，２Ｂからの登録要求で通知されたアクセス情報を管理テーブル１３Ａへ格納するとともに、その管理テーブル１３Ａに格納されている各アクセス情報に対応する個々の通信装置へ、各アクセス情報を通知する。各通信装置２Ａ，２Ｂは、管理装置１から通知されたアクセス情報を管理テーブル２３Ａへ格納し、そのアクセス情報を用いて通信装置間で通信を行う。【選択図】        図１
2004289515.tif 000002
【特許請求の範囲】
【請求項１】
通信網に接続された複数の通信装置を備え、これら通信装置が、それぞれの装置に予め付与されている個別のアクセス情報を用いることにより前記通信網を介して相互に通信を行う通信システムにおいて、
前記通信網に接続されて、前記各通信装置のアクセス情報を一元管理する管理装置を備え、
前記各通信装置は、前記各通信装置のアクセス情報を管理テーブルで記憶する記憶手段と、自装置のアクセス情報に関する登録要求を前記管理装置へ送信し、これに応じて前記管理装置から通知されたアクセス情報を前記管理テーブルへ格納する登録手段と、前記管理テーブルに格納されたアクセス情報を用いて前記通信装置との通信を行う通信制御手段とを備え、
前記管理装置は、前記各通信装置のアクセス情報を管理テーブルで記憶する記憶手段と、前記通信装置からの登録要求に応じて、その登録要求で通知されたアクセス情報を前記管理テーブルへ格納する登録手段と、その管理テーブルに格納されている各アクセス情報に対応する通信装置のそれぞれへ、前記各アクセス情報を配信する配信手段とを備えることを特徴とする通信システム。
【請求項２】
請求項１に記載の通信システムにおいて、
前記管理装置は、前記通信網に接続されているＤＮＳサーバに対して予め自装置のドメイン名とＩＰアドレスとを設定する設定手段をさらに備え、
前記通信装置の登録手段は、前記登録要求を送信する際、前記ＤＮＳサーバに接続して予め自装置に設定されている前記管理装置のドメイン名に対応するＩＰアドレスを取得し、そのＩＰアドレスを用いて前記管理装置へ前記登録要求を送信することを特徴とする通信システム。
【請求項３】
請求項１に記載の通信システムにおいて、
前記通信装置は、前記通信網の回線を収容する主装置と、この主装置に収容された１つ以上の電話機とを有し、前記主装置で前記回線と前記電話機とを交換接続するボタン電話装置からなり、前記記憶手段、前記登録手段および前記通信制御手段が前記主装置に設けられていることを特徴とする通信システム。
【請求項４】
請求項１に記載の通信システムにおいて、
前記管理装置は、前記通信網の回線を収容する主装置と、この主装置に収容された１つ以上の電話機とを有し、前記主装置で前記回線と前記電話機とを交換接続するボタン電話装置からなり、前記記憶手段、前記登録手段および前記配信手段が前記主装置に設けられていることを特徴とする通信システム。
【請求項５】
通信網に接続された複数の通信装置を備え、これら通信装置が、それぞれの装置に予め付与されている個別のアクセス情報を用いることにより前記通信網を介して相互に通信を行う通信システムで用いられる管理装置であって、
前記各通信装置のアクセス情報を管理テーブルで記憶する記憶手段と、
前記通信装置からの登録要求に応じて、その登録要求で通知されたアクセス情報を前記管理テーブルへ格納する登録手段と、
その管理テーブルに格納されている各アクセス情報に対応する通信装置のそれぞれへ、前記各アクセス情報を配信する配信手段とを備えることを特徴とする管理装置。
【請求項６】
請求項５に記載の管理装置において、
当該管理装置は、前記通信網の回線を収容する主装置と、この主装置に収容された１つ以上の電話機とを有し、前記主装置で前記回線と前記電話機とを交換接続するボタン電話装置からなり、前記記憶手段、前記登録手段および前記配信手段が前記主装置に設けられていることを特徴とする管理装置。
【請求項７】
通信網に接続された複数の通信装置を備え、これら通信装置が、それぞれの装置に予め付与されている個別のアクセス情報を用いることにより前記通信網を介して相互に通信を行う通信システムで用いられる通信装置であって、
前記各通信装置のアクセス情報を管理テーブルで記憶する記憶手段と、
前記各通信装置のアクセス情報を一元管理する管理装置へ、前記通信網を介して自装置のアクセス情報に関する登録要求を送信し、自装置を含む前記各通信装置からの登録要求に応じて前記管理装置から通知された前記アクセス情報を前記管理テーブルへ格納する登録手段と、
前記管理テーブルに格納されたアクセス情報を用いて他の通信装置との通信を行う通信制御手段とを備えることを特徴とする通信装置。
【請求項８】
請求項７に記載の通信装置において、
当該通信装置は、前記通信網の回線を収容する主装置と、この主装置に収容された１つ以上の電話機とを有し、前記主装置で前記回線と前記電話機とを交換接続するボタン電話装置からなり、前記記憶手段、前記登録手段および前記通信制御手段が前記主装置に設けられていることを特徴とする通信装置。
【請求項９】
通信網に接続された複数の通信装置を備え、これら通信装置が、それぞれの装置に予め付与されている個別のアクセス情報を用いることにより通信網を介して相互に通信を行う通信システムで用いられる管理装置のコンピュータに、
前記通信装置からの登録要求に応じて、その登録要求で通知されたアクセス情報を前記管理テーブルへ格納するステップと、
その管理テーブルに格納されている各アクセス情報に対応する通信装置のそれぞれへ、前記各アクセス情報を配信するステップとを実行させるためのプログラム。
【請求項１０】
通信網に接続された複数の通信装置を備え、これら通信装置が、それぞれの装置に予め付与されている個別のアクセス情報を用いることにより通信網を介して相互に通信を行う通信システムで用いられる通信装置のコンピュータに、
前記各通信装置のアクセス情報を一元管理する管理装置へ、前記通信網を介して自装置のアクセス情報に関する登録要求を送信するステップと、
自装置を含む前記各通信装置からの登録要求に応じて前記管理装置から通知された前記アクセス情報を自装置の管理テーブルへ格納するステップと、
前記管理テーブルに格納されたアクセス情報を用いて他の通信装置との通信を行うステップとを実行させるためのプログラム。
【発明の詳細な説明】
【０００１】
【発明の属する技術分野】
本発明は、通信システム、管理装置、通信装置、およびプログラムに関し、特に通信システムを構成する各通信装置のアクセス情報を管理する通信システム、管理装置、通信装置、およびプログラムに関するものである。
【０００２】
【従来の技術】
パケット通信技術の進歩に伴い、インターネットなどのパケット通信網を用いて音声データをやり取りすることにより通話を行う電話装置がある。このような電話装置では、通信網を用いて他の電話装置と通話を行う場合、今までの電話番号のほかに通信網用のネットワークアドレスとしてＩＰアドレスが必要となる。
【０００３】
従来、このような電話装置がＬＡＮを介して複数接続された通信システムで、ＬＡＮに管理装置を設けて各電話装置の電話番号とＩＰアドレスとの対応関係を示すアクセス情報を一元管理し、例えば発信時には、利用者が電話装置から通話相手先として指定した電話番号に対応するＩＰアドレスを管理装置から取得し、そのＩＰアドレスを用いて電話装置間でＬＡＮを介して通話するようにしたものが提案されている（例えば、特許文献１など参照）。
【０００４】
なお、出願人は、本明細書に記載した先行技術文献情報で特定される先行技術文献以外には、本発明に関連する先行技術文献を出願時までに発見するには至らなかった。
【０００５】
【特許文献１】
特開２００１−１８６１９６号公報
【０００６】
【発明が解決しようとする課題】
このような従来の通信システムによれば、各電話装置のアクセス情報を管理装置で一元管理するようにしたので、各電話装置でそれぞれのアクセス情報を管理する必要がなくなり、これらアクセス情報の登録にかかる作業負担を削減できる。
しかしながら、これらアクセス情報は管理装置のみで管理しているため、通信網を介して相手電話装置へ発信する場合には、必ず相手電話装置のＩＰアドレスを管理装置に問い合わせる必要があり、余分な通信が必ず発生するという問題点があった。
本発明はこのような課題を解決するためのものであり、アドレス取得のための余分な動作を大幅に抑制できる通信システム、管理装置、通信装置、およびプログラムを提供することを目的としている。
【０００７】
【課題を解決するための手段】
このような目的を達成するために、本発明にかかる通信システムは、通信網に接続された複数の通信装置を備え、これら通信装置が、それぞれの装置に予め付与されている個別のアクセス情報を用いることにより通信網を介して相互に通信を行う通信システムにおいて、通信網に接続されて、各通信装置のアクセス情報を一元管理する管理装置を備え、各通信装置に、各通信装置のアクセス情報を管理テーブルで記憶する記憶手段と、自装置のアクセス情報に関する登録要求を管理装置へ送信し、これに応じて管理装置から通知されたアクセス情報を管理テーブルへ格納する登録手段と、管理テーブルに格納されたアクセス情報を用いて通信装置との通信を行う通信制御手段とを設けるとともに、管理装置に、各通信装置のアクセス情報を管理テーブルで記憶する記憶手段と、通信装置からの登録要求に応じて、その登録要求で通知されたアクセス情報を管理テーブルへ格納する登録手段と、その管理テーブルに格納されている各アクセス情報に対応する通信装置のそれぞれへ、各アクセス情報を配信する配信手段とを設けたものである。
【０００８】
管理装置のＩＰアドレスについては、管理装置に、通信網に接続されているＤＮＳサーバに対して予め自装置のドメイン名とＩＰアドレスとを設定する設定手段をさらに設け、通信装置の登録手段で、登録要求を送信する際、ＤＮＳサーバに接続して予め自装置に設定されている管理装置のドメイン名に対応するＩＰアドレスを取得し、そのＩＰアドレスを用いて管理装置へ登録要求を送信するようにしてもよい。
【０００９】
通信装置の具体例として、通信網の回線を収容する主装置と、この主装置に収容された１つ以上の電話機とを有し、主装置で回線と電話機とを交換接続するボタン電話装置からなり、記憶手段、登録手段および通信制御手段が主装置に設けられている通信装置であってもよい。
【００１０】
管理装置の具体例として、通信網の回線を収容する主装置と、この主装置に収容された１つ以上の電話機とを有し、主装置で回線と電話機とを交換接続するボタン電話装置からなり、記憶手段、登録手段および配信手段が主装置に設けられている通信装置であってもよい。
【００１１】
また、本発明にかかる管理装置は、通信網に接続された複数の通信装置を備え、これら通信装置が、それぞれの装置に予め付与されている個別のアクセス情報を用いることにより通信網を介して相互に通信を行う通信システムで用いられる管理装置であって、各通信装置のアクセス情報を管理テーブルで記憶する記憶手段と、通信装置からの登録要求に応じて、その登録要求で通知されたアクセス情報を管理テーブルへ格納する登録手段と、その管理テーブルに格納されている各アクセス情報に対応する通信装置のそれぞれへ、各アクセス情報を配信する配信手段とを備えるものである。
【００１２】
管理装置の具体例として、通信網の回線を収容する主装置と、この主装置に収容された１つ以上の電話機とを有し、主装置で回線と電話機とを交換接続するボタン電話装置からなり、記憶手段、登録手段および配信手段が主装置に設けられている通信装置であってもよい。
【００１３】
また、本発明にかかる通信理装置は、通信網に接続された複数の通信装置を備え、これら通信装置が、それぞれの装置に予め付与されている個別のアクセス情報を用いることにより通信網を介して相互に通信を行う通信システムで用いられる通信装置であって、各通信装置のアクセス情報を管理テーブルで記憶する記憶手段と、各通信装置のアクセス情報を一元管理する管理装置へ、通信網を介して自装置のアクセス情報に関する登録要求を送信し、自装置を含む各通信装置からの登録要求に応じて管理装置から通知されたアクセス情報を管理テーブルへ格納する登録手段と、管理テーブルに格納されたアクセス情報を用いて他の通信装置との通信を行う通信制御手段とを備えるものである。
【００１４】
通信装置の具体例として、通信網の回線を収容する主装置と、この主装置に収容された１つ以上の電話機とを有し、主装置で回線と電話機とを交換接続するボタン電話装置からなり、記憶手段、登録手段および通信制御手段が主装置に設けられている通信装置であってもよい。
【００１５】
本発明にかかるプログラムは、通信網に接続された複数の通信装置を備え、これら通信装置が、それぞれの装置に予め付与されている個別のアクセス情報を用いることにより通信網を介して相互に通信を行う通信システムで用いられる管理装置のコンピュータに、通信装置からの登録要求に応じて、その登録要求で通知されたアクセス情報を管理テーブルへ格納するステップと、その管理テーブルに格納されている各アクセス情報に対応する通信装置のそれぞれへ、各アクセス情報を配信するステップとを実行させるためのプログラムである。
【００１６】
本発明にかかる他のプログラムは、通信網に接続された複数の通信装置を備え、これら通信装置が、それぞれの装置に予め付与されている個別のアクセス情報を用いることにより通信網を介して相互に通信を行う通信システムで用いられる通信装置のコンピュータに、各通信装置のアクセス情報を一元管理する管理装置へ、通信網を介して自装置のアクセス情報に関する登録要求を送信するステップと、自装置を含む各通信装置からの登録要求に応じて管理装置から通知されたアクセス情報を自装置の管理テーブルへ格納するステップと、管理テーブルに格納されたアクセス情報を用いて他の通信装置との通信を行うステップとを実行させるためのプログラムである。
【００１７】
【発明の実施の形態】
次に、本発明の実施の形態について図面を参照して説明する。
まず、図１を参照して、本発明の第１の実施の形態にかかる通信システムについて説明する。図１は本発明の第１の実施の形態にかかる通信システムの構成を示すブロック図である。
この通信システムには、通信網５に接続された複数の通信装置２（２Ａ，２Ｂ）と、これら通信装置２のアクセス情報を一元管理する管理装置１とが設けられている。各通信装置２は、自装置のアクセス情報を管理装置１へ登録するとともに、管理装置１から配信された各通信装置２のアクセス情報を自装置で記憶し、そのアクセス情報を用いることにより通信網５を介して相互に通信を行う。
【００１８】
管理装置１は、全体としてプログラムで動作するコンピュータからなり、ＩＰパケット網などの通信網で用いるＩＰアドレスなどのネットワークアドレスとは別個に、当該装置と通信するための識別情報を有する通信装置である。
管理装置１の具体例としては、ＩＰアドレスとは別個に上記識別情報として電話番号を持ち、通信網５からの回線を介して通話を行う電話機や、通信網５からの回線と内線側の電話機とを交換接続する主装置を持つボタン電話装置などの通信装置がある。
【００１９】
この管理装置１には、通信部１１、制御部１２および記憶部１３が設けられている。
通信部１１は、通信網５からの回線を終端制御して、呼制御データ、音声データさらにはアクセス情報を通信装置２とやり取りする回路部である。
記憶部１３は、ハードディスクやメモリなどの記憶装置からなり、制御部１２での処理に必要な各種情報のほか、各通信装置２に固有のアクセス情報を一元管理するための管理テーブル１３Ａや、記録媒体１４からあるいは通信網５を介して取り込んだプログラムを記憶する。また、記憶部１３には、自装置のＩＰアドレスと識別情報の対からなるアクセス情報が予め登録されているものとする。
【００２０】
制御部１２は、ＣＰＵなどのマイクロプロセッサとその周辺回路からなり、記憶部１３に予め格納されているプログラムを読み込んで実行することにより、上記ハードウェア資源とプログラムとを協働させて各種機能手段を実現する。
この機能手段としては、登録手段１２Ａおよび配信手段１２Ｂがある。
登録手段１２Ａは、通信網５を介して受信した通信装置２からのアクセス情報を記憶部１３の管理テーブル１３Ａに格納する。
配信手段１２Ｂは、記憶部１３の管理テーブル１３Ａに格納されているすべてのアクセス情報を、これらアクセス情報に対応する通信装置２のそれぞれへ通信網５を介して配信する。
【００２１】
通信装置２は、全体としてプログラムで動作するコンピュータからなり、ＩＰパケット網などの通信網で用いるＩＰアドレスなどのネットワークアドレスとは別個に、当該装置と通信するための識別情報を有する通信装置である。
通信装置の具体例としては、ＩＰアドレスとは別個に上記識別情報として電話番号を持ち、通信網５からの回線を介して通話を行う電話装置や、通信網５からの回線と内線側の電話機と交換接続する主装置を持つボタン電話装置などの通信装置がある。
【００２２】
この通信装置２には、通信部２１、制御部２２および記憶部２３が設けられている。
通信部２１は、通信網５からの回線を終端制御して、呼制御データ、音声データさらにはアクセス情報を他の通信装置２や管理装置１とやり取りする回路部である。
記憶部２３は、ハードディスクやメモリなどの記憶装置からなり、制御部２２での処理に必要な各種情報のほか、各通信装置２に固有のアクセス情報を一元管理するための管理テーブル２３Ａや、記録媒体２４からあるいは通信網５を介して取り込んだプログラムを記憶する。また、記憶部２３には、自装置のＩＰアドレスと識別情報の対からなるアクセス情報、および管理装置１のＩＰアドレスが予め設定されているものとする。
【００２３】
制御部２２は、ＣＰＵなどのマイクロプロセッサとその周辺回路からなり、記憶部２３に予め格納されているプログラムを読み込んで実行することにより、上記ハードウェア資源とプログラムとを協働させて各種機能手段を実現する。
この機能手段としては、登録手段２２Ａおよび配信制御手段２２Ｂがある。
登録手段２２Ａは、自装置のＩＰアドレスの登録を通信網５を介して管理装置１へ要求するとともに、管理装置１から受信したアクセス情報を記憶部２３の管理テーブル２３Ａに格納する。
通信制御手段２２Ｂは、記憶部２３の管理テーブル２３Ａに格納されているアクセス情報から取得したＩＰアドレスを用いて、他の通信装置２と通信を行う。
【００２４】
次に、図２を参照して、本実施の形態にかかる通信システムの動作について説明する。図２は通信システムのアクセス情報登録配信動作を示すシーケンス図である。
まず、管理装置１では、電源投入に応じて（ステップ１００）、制御部１２の登録手段１２Ａで、自装置のアクセス情報を記憶部１３から読み出し、管理テーブル１３Ａへ登録する（ステップ１０１）。
図３に管理テーブルの構成例を示す。ここでは、識別情報（電話番号）とＩＰアドレスとの対からなるアクセス情報が、管理装置１および通信装置２ごとに管理されている。なお、図３の例では、複数のアクセス情報が登録されているが、上記ステップ１０１の直後の状態では、管理装置１のアクセス情報しか登録されていない。
【００２５】
その後、通信装置２Ａが電源投入された場合（ステップ１１０）、その制御部２２の登録手段２２Ａは、自装置のアクセス情報および管理装置１のＩＰアドレスを記憶部２３から読み出し、管理テーブルに対する自アクセス情報の登録を要求するための登録要求を、管理装置１のＩＰアドレスを用いて通信部２１から通信網５を介して管理装置１へ送信する（ステップ１１５）。
【００２６】
管理装置１では、制御部１２の登録手段１２Ａで、通信装置２Ａからの登録要求を受信し、その登録要求に含まれている通信装置２Ａのアクセス情報を記憶部１３の管理テーブル１３Ａに登録する（ステップ１１６）。
そして、配信手段１２Ｂで、その管理テーブル１３Ａに登録されている各アクセス情報のＩＰアドレスを用いて、それぞれのアクセス情報に対応する通信装置へ、当該管理テーブル１３Ａに登録されているすべてのアクセス情報を配信する（ステップ１１７）。
【００２７】
このステップ１１７の時点では、管理装置１および通信装置２Ａのアクセス情報が管理テーブル１３Ａに登録されていることから、管理装置１除く通信装置２Ａへ、管理テーブル１３Ａの内容、すなわち管理装置１および通信装置２Ａのアクセス情報が配信される。
通信装置２Ａでは、登録手段２２Ａで、管理装置１からのアクセス情報を受信し、これを記憶部２３の管理テーブル２３Ａへ格納する（ステップ１１８）。
【００２８】
次に、通信装置２Ａが電源投入された場合（ステップ１２０）、その制御部２２の登録手段２２Ａは、自装置のアクセス情報および管理装置１のＩＰアドレスを記憶部２３から読み出し、管理テーブルに対する自アクセス情報の登録を要求するための登録要求を、管理装置１のＩＰアドレスを用いて通信部２１から通信網５を介して管理装置１へ送信する（ステップ１２５）。
【００２９】
管理装置１では、制御部１２の登録手段１２Ａで、通信装置２Ａからの登録要求を受信し、その登録要求に含まれている通信装置２Ｂのアクセス情報を記憶部１３の管理テーブル１３Ａに登録する（ステップ１２６）。
そして、配信手段１２Ｂで、その管理テーブル１３Ａに登録されている各アクセス情報のＩＰアドレスを用いて、それぞれのアクセス情報に対応する通信装置へ、当該管理テーブル１３Ａに登録されているすべてのアクセス情報を配信する（ステップ１２７）。
【００３０】
このステップ１２７の時点では、管理装置１および通信装置２Ａ，２Ｂのアクセス情報が管理テーブル１３Ａに登録されていることから、管理装置１除く通信装置２Ａ，２Ｂへ、管理テーブル１３Ａの内容、すなわち管理装置１および通信装置２Ａ，２Ｂのアクセス情報が配信される。
通信装置２Ａ，２Ｂでは、登録手段２２Ａで、管理装置１からのアクセス情報を受信し、これを記憶部２３の管理テーブル２３Ａへ格納する（ステップ１２８，１２９）。
【００３１】
この後、通信装置２Ａの制御部２２では、識別情報で指定された通信装置２Ｂと通信を行う際、通信制御手段２２Ｂで、記憶部２３の管理テーブル２３Ａからその識別情報に対応する通信装置２ＢのＩＰアドレスを取得し、そのＩＰアドレスを用いて通信部２１から通信網５を介して通信装置２Ｂと通信を行う。
したがって、通信装置２Ａ，２Ｂが電話機であり、それぞれ図３のようなアクセス情報を持つ場合、通信装置２Ａでは、利用者がダイヤル入力した通信装置２Ｂの電話番号「０３−３４９３−ｘｘｘ２」に対応するＩＰアドレス「２１０．１４７．１３．ｘｘ２」が管理テーブル２３Ａから取得され、そのＩＰアドレスを用いて通信装置２Ｂとの間でＶｏＩＰ（Ｖｏｉｃｅ  ｏｖｅｒ  ＩＰ）技術を用いて音声パケットがやり取りされ通話が開始される。
【００３２】
このように、本実施の形態では、各通信装置の登録手段で、自装置のアクセス情報に関する登録要求を管理装置へ送信し、これに応じて管理装置から配信されたアクセス情報を記憶手段の管理テーブルへ格納し、管理装置の配信手段で、通信装置からの登録要求で通知されたアクセス情報を記憶手段の管理テーブルへ格納するとともに、その管理テーブルに格納されている各アクセス情報に対応する個々の通信装置へ、各アクセス情報を配信するようにしたので、各通信装置間で通信を行う際、自装置内の管理テーブルを用いて通信相手のＩＰアドレスを取得することができる。
【００３３】
したがって、通信の際には必ず管理装置へＩＰアドレスの確認を行う従来の通信システムと比較して、ＩＰアドレスの確認のための余分な動作を大幅に抑制でき、通信網および通信装置での通信能力を有効活用できるとともに、迅速に通信を開始できる。
また、管理装置と通信不能となった場合でも、自装置内の管理テーブルを用いて他の通信装置との通信を行うことができ、通信システム全体の信頼性を高めることができる。
【００３４】
また、管理装置では、任意の通信装置から登録要求があった場合、その要求元の通信装置だけでなく、その時点で管理テーブルに登録されているすべての通信装置へ全アクセス情報を配信するようにしたので、管理テーブルに対するアクセス情報の登録に応じてすべての通信装置へ全アクセス情報が自動的に配信される。これにより、各通信装置では、管理装置に対してアクセス情報の配信を逐次要求をすることなく、常に最新のアクセス情報を自装置の管理テーブルへ登録できる。
【００３５】
次に、図４を参照して、本発明の第２の実施の形態にかかる通信システムについて説明する。図４は本発明の第２の実施の形態にかかる通信システムの構成を示すブロック図である。
この通信システムは、前述した第１の実施の形態（図１参照）と比較して、通信網５にＤＮＳ（Ｄｏｍａｉｎ  Ｎａｍｅ  Ｓｅｒｖｅｒ）サーバ６が接続されている点が異なり、その他の構成は、第１の実施の形態と同じである。
【００３６】
前述した第１の実施の形態では、各通信装置２Ａ，２Ｂに管理装置１のＩＰアドレスが予め設定されている場合を例として説明したが、通信網５との接続環境によっては、管理装置１のＩＰアドレスが変更される場合もある。例えば、インターネット接続サービスを提供するプロバイダでは、各利用者の通信装置に対して、予め用意した複数のＩＰアドレスの中から任意に選択したものを動的に付与する場合もあり、管理装置１がこのようなインターネット接続サービスを受けている場合、そのＩＰアドレスは変更される場合もある。
したがって、管理装置１のＩＰアドレスが変更された場合は、各通信装置２Ａ，２Ｂでの設定内容も変更する必要がある。
【００３７】
これに対して、インターネットでは、数字の羅列からなるＩＰアドレスに代えて、文字列からなるドメイン（ホスト）名を利用でき、このドメイン名からＩＰアドレスへの変換を行うのがＤＮＳサーバである。
本実施の形態では、上記のようなＤＮＳサーバに着目し、管理装置１の制御部１２に設定手段１２Ｃを設けて、この設定手段１２Ｃで、管理装置１の最新のＩＰアドレスとドメイン名とをＤＮＳサーバ６へ登録しておき、通信装置２Ａ，２Ｂで、記憶部２３に予め設定されている管理装置１のドメイン名に対応するＩＰアドレスをＤＮＳサーバ６から取得し、そのＩＰアドレスを用いて、管理装置１と通信を行うようにしたものである。
【００３８】
図４のＤＮＳサーバ６は、全体としてプログラムで動作するコンピュータからなり、このＩＰアドレスとドメイン名との対応関係を管理し、通信網を介して任意の通信装置から問い合わせのあったドメイン名に対応するＩＰアドレスを配信するサーバ装置である。
なお、ＤＮＳサーバ６の構成および動作は、インターネットで用いられている一般的なアドレス解決用のＤＮＳサーバと同等であり、ここでの詳細な説明は省略する。
【００３９】
次に、図５を参照して、本実施の形態にかかる通信システムの動作について説明する。図５は通信システムの他のアクセス情報登録配信動作を示すシーケンス図である。なお、図５では、前述した図２と同等なステップには同一符号を付してある。
【００４０】
まず、管理装置１では、電源投入に応じて（ステップ１００）、制御部１２の登録手段１２Ａで、自装置のアクセス情報を記憶部１３から読み出し、図３のような構成の管理テーブル１３Ａへ登録する（ステップ１０１）。
そして、制御部１２の設定手段１２Ｃで、記憶部１３から自装置のＩＰアドレスおよびドメイン名を読み出し、これら情報を含む登録要求を通信部１１から通信網５を介してＤＮＳサーバ６へ送信する（ステップ１０２）。
ＤＮＳサーバ６では、管理装置１からの登録要求を受信し、その登録要求に含まれるＩＰアドレスにドメイン名を関連付けて登録する（ステップ１０３）。
【００４１】
その後、通信装置２Ａが電源投入された場合（ステップ１１０）、その制御部２２の登録手段２２Ａは、管理装置１のドメイン名を記憶部２３から読み出し、通信部２１および通信網５を介してＤＮＳサーバ６と通信を行うことにより、そのドメイン名に対応する管理装置１のＩＰアドレスを取得する（ステップ１１１）。
そして、自装置のアクセス情報および管理装置１のＩＰアドレスを記憶部２３から読み出し、管理テーブルに対する自アクセス情報の登録を要求するための登録要求を、ＤＮＳサーバ６から取得した管理装置１のＩＰアドレスを用いて通信部２１から通信網５を介して管理装置１へ送信する（ステップ１１５）。
これ以降、前述の図２と同一のステップ１１６〜１１８が実行され、管理装置１のアクセス情報が通信装置２Ａの管理テーブル２３Ａに登録される。
【００４２】
次に、通信装置２Ａが電源投入された場合（ステップ１２０）、その制御部２２の登録手段２２Ａは、管理装置１のドメイン名を記憶部２３から読み出し、通信部２１および通信網５を介してＤＮＳサーバ６と通信を行うことにより、そのドメイン名に対応する管理装置１のＩＰアドレスを取得する（ステップ１２１）。
そして、自装置のアクセス情報および管理装置１のＩＰアドレスを記憶部２３から読み出し、管理テーブルに対する自アクセス情報の登録を要求するための登録要求を、ＤＮＳサーバ６から取得した管理装置１のＩＰアドレスを用いて通信部２１から通信網５を介して管理装置１へ送信する（ステップ１２５）。
これ以降、前述の図２と同一のステップ１２６〜１２９が実行され、管理装置１のアクセス情報が通信装置２Ａ，２Ｂの管理テーブル２３Ａにそれぞれ登録される。
【００４３】
このように、本実施の形態では、管理装置の設定手段で、通信網に接続されているＤＮＳサーバに対して予め自装置のドメイン名とＩＰアドレスとを設定し、通信装置の登録手段は、登録要求を送信する際、ＤＮＳサーバに接続して予め自装置に設定されている管理装置のドメイン名に対応するＩＰアドレスを取得し、そのＩＰアドレスを用いて管理装置へ登録要求を送信するようにしたので、管理装置１のＩＰアドレスが変更された場合には、ＤＮＳサーバの登録内容を更新するだけで対応することができ、各通信装置での設定変更作業が不要となる。
【００４４】
なお、以上では、説明を容易とするため２つの通信装置２Ａ，２Ｂを例として説明したが、これに限定されるものではなく、３つ以上の通信装置が接続されている通信システムであっても、前述と同様にして各実施の形態を適用でき、同様の作用効果が得られる。
また、管理装置１は、通信装置２Ａ，２Ｂと同様の識別情報（電話番号）を用いた通信／通話機能を持つ必要はなく、通信網５を介して各通信装置２とアクセス情報をやり取りするための通信機能およびアクセス情報を蓄積管理するデータ管理機能を有するサーバ装置で構成してもよい。この際、図２，５のステップ１０１は不要となる。
【００４５】
また、以上では、アクセス情報の登録要求タイミングとして、通信装置２Ａ，２Ｂの電源投入時を例として説明したが、これに限定されるものではなく、電源投入後、通信網５に接続されて通信が可能な状態となった時点に行うようにしてもよい。
また、管理装置１でドメイン名とＩＰアドレスとをＤＮＳサーバ６へ登録するタイミングとして、管理装置１の電源投入時を例として説明したが、これに限定されるものではなく、電源投入後、通信網５に接続されて通信が可能な状態となった時点、あるいはＩＰアドレスが変更された時点に行うようにしてもよい。
【００４６】
【発明の効果】
以上説明したように、本発明は、各通信装置の登録手段で、自装置のアクセス情報に関する登録要求を管理装置へ送信し、これに応じて管理装置から配信されたアクセス情報を記憶手段の管理テーブルへ格納し、管理装置の配信手段で、通信装置からの登録要求で通知されたアクセス情報を記憶手段の管理テーブルへ格納するとともに、その管理テーブルに格納されている各アクセス情報に対応する個々の通信装置へ、各アクセス情報を配信するようにしたので、各通信装置間で通信を行う際、自装置内の管理テーブルを用いて通信相手のＩＰアドレスを取得することができる。
【００４７】
したがって、通信の際には必ず管理装置へＩＰアドレスの確認を行う従来の通信システムと比較して、ＩＰアドレス取得のための余分な動作を大幅に抑制でき、通信網および通信装置での通信能力を有効活用できるとともに、迅速に通信を開始できる。
また、管理装置と通信不能となった場合でも、自装置内の管理テーブルを用いて他の通信装置との通信を行うことができ、通信システム全体の信頼性を高めることができる。
【図面の簡単な説明】
【図１】第１の実施の形態にかかる通信システムの構成を示すブロック図である。
【図２】第１の実施の形態にかかるアクセス情報登録配信動作を示すシーケンス図である。
【図３】管理テーブルの構成例である。
【図４】第２の実施の形態にかかる通信システムの構成を示すブロック図である。
【図５】第２の実施の形態にかかるアクセス情報登録配信動作を示すシーケンス図である。
【符号の説明】
１…管理装置、１１…通信部、１２…制御部、１２Ａ…登録手段、１２Ｂ…配信手段、１２Ｃ…設定手段、１３…記憶部、１３Ａ…管理テーブル、１４…記録媒体、２，２Ａ，２Ｂ…通信装置、２１…通信部、２２…制御部、２２Ａ…登録手段、２２Ｂ…通信制御部、２３…記憶部、２３Ａ…管理テーブル、２４…記録媒体、５…通信網、６…ＤＮＳサーバ。
【図１】
2004289515.tif 000003
【図２】
2004289515.tif 000004
【図３】
2004289515.tif 000005
【図４】
2004289515.tif 000006
【図５】
2004289515.tif 000007